(57)【要約】【課題】偏向感度を向上させながら、内面寸法の散布を減らせることができるだけではなく、内面研磨加工を容易にすることができるため、生産収率上昇及びフェライトコアの寸法公差を画期的に改善する。【解決手段】偏向ヨークは電子銃から発射された電子ビームを水平又は垂直に偏向させる水平及び垂直偏向コイルと、水平及び垂直偏向コイルから発生された磁気力の損失を減らせた上で磁気効率を高めるためのフェライトコアを含み、水平及び／又は垂直偏向コイルのスクリーン側断面形状は四角形状であり、フェライトコアのスクリーン側端部の断面形状は円形又は楕円形であり、フェライトコアの内部に装着される水平偏向コイルのスクリーン側フランジ部の外面の大きさＨＳがフェライトコアのスクリーン側端部の内面の大きさＦＳの８０〜１１０％であることを特徴とする。【選択図】　　　図１９
2004014501.tif 000002
【特許請求の範囲】
【請求項１】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直方向に偏向させるように設けられた偏向ヨークを含むカラー陰極線管において、
前記偏向ヨークは前記電子銃から発射された電子ビームを水平又は垂直に偏向させる水平及び垂直偏向コイルと、前記水平偏向コイルと前記垂直偏向コイルの間を絶縁すると同時に、適用される陰極線管と結合することができるようにするホールダーと、前記水平及び垂直偏向コイルから発生された磁気力の損失を減らせた上で磁気効率を高めるためのフェライトコアを含み、
前記水平及び垂直偏向コイルのスクリーン側の断面形状は四角形状でありながら、前記フェライトコアのスクリーン側端部の断面形状は円形又は楕円形であり、
前記フェライトコアの内部に装着される水平偏向コイルのスクリーン側フランジ部の外面の大きさ（ＨＳ）が前記フェライトコアのスクリーン側端部の内面の大きさ（ＦＳ）の８０〜１１０％であることを特徴とするカラー陰極線管。
【請求項２】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直の方向に偏向させるように設けられた偏向ヨークを含むカラー陰極線管において、
前記偏向ヨークは前記電子銃から発射された電子ビームを水平又は垂直に偏向させる水平及び垂直偏向コイルと、前記水平偏向コイルと前記垂直偏向コイルの間を絶縁すると同時に、適用される陰極線管と結合することができるようにするホールダー（Ｈｏｌｄｅｒ）と、前記水平及び垂直偏向コイルから発生された磁気力の損失を減らせた上で磁気効率を高めるためのフェライトコアを含み、
前記水平及び垂直偏向コイルのスクリーン側断面形状は四角形状でありながら、前記フェライトコアのスクリーン側端部の断面形状は円形又は楕円形であり、前記フェライトコアの内部に装着される水平偏向コイルのスクリーン側フランジ部の外面の大きさが前記フェライトコアのスクリーン側端部の外面の大きさより小さいことを特徴とするカラー陰極線管。
【請求項３】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直方向に偏向させるように設けられた偏向ヨークを含むカラー陰極線管において、
前記偏向ヨークは前記電子銃から発射された電子ビームを水平又は垂直に偏向させる水平及び垂直偏向コイルと、前記水平偏向コイルと前記垂直偏向コイルの間を絶縁すると同時に、適用する陰極線管と結合することができるようにするホールダーと、前記水平及び垂直偏向コイルから発生された磁気力の損失を減らせた上で磁気効率を高めるためのフェライトコアを含み、
前記水平又は垂直偏向コイルのスクリーン側断面形状は四角形状でありながら、前記フェライトコアのスクリーン側端部の断面形状は円形又は楕円形であり、前記フェライトコアの内部に装着される水平偏向コイルのスクリーン側フランジ部の外面の大きさが前記フェライトコアのスクリーン側端部の内面の大きさより小さいことを特徴とするカラー陰極線管。
【請求項４】
前記フェライトコアの内部に装着される水平偏向コイルのスクリーン側フランジ部の外面の大きさが前記フェライトコアのスクリーン側端部の内面の大きさの８０〜１００％であることを特徴とする請求項３記載のカラー陰極線管。
【請求項５】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直方向に偏向させるように設けられた偏向ヨークを含む陰極線管において、
前記偏向ヨークは前記電子銃から発射された電子ビームを水平又は垂直に偏向させる水平及び垂直偏向コイルと、前記水平偏向コイルと垂直偏向コイルの間を絶縁すると同時に、適用される陰極線管と結合することができるようにするホールダーと、前記水平及び垂直偏向コイルから発生された磁気力の損失を減らせた上で磁気効率を高めるためのフェライトコアを含み、
前記水平及び垂直偏向コイルのスクリーン側断面形状は四角形状でありながら、前記フェライトコアのスクリーン側端部の断面形状は円形又は楕円形であり、
前記垂直偏向コイルは垂直軸に対し左右に配列された一対として構成され、
水平軸から前記フェライトコアのスクリーン側端部の外面に接する垂直偏向コイルのスクリーン側フランジ部の垂直軸に隣接した地点を連結した直線の長さ（ｃ）が前記フェライトコアのスクリーン側端部の直径（ｂ）より小さいことを特徴とするカラー陰極線管。
【請求項６】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直方向に偏向させるように設けられた偏向ヨークを含むカラー陰極線管において、
前記偏向ヨークは前記電子銃から発射された電子ビームを水平又は垂直に偏向させる水平及び垂直偏向コイルと、前記水平偏向コイルと垂直偏向コイルの間を絶縁すると同時に、適用される陰極線管と結合することができるようにするホールダーと、前記水平及び垂直偏向コイルから発生された磁気力の損失を減らせた上で磁気効率を高めるためのフェライトコアを含み、
前記水平及び垂直偏向コイルのスクリーン側断面形状は四角形状でありながら、前記フェライトコアのスクリーン側端部の断面形状は円形又は楕円形であり、前記垂直偏向コイルは垂直軸に対し左右に配列された一対として構成され、
前記垂直軸に対し±（３０°〜６０°）である領域で、水平軸から垂直偏向コイルのスクリーン側フランジ部の垂直軸方向直線の長さ（ｅ）とフェライトコアのスクリーン側端部の半径（ｂ）の比（ｂ／ｅ）が０．７〜１．１であることを特徴とするカラー陰極線管。
【請求項７】
内面に赤（Ｒ）、緑（Ｇ）、青（Ｂ）の蛍光体が塗布された蛍光体スクリーンを持つパネルと、前記パネルの後面に結合され内部を真空状態に維持するように設けられたファンネルと、前記ファンネルの後方にある管形状のネック部の内部に装着され電子ビームを発射する電子銃と、前記電子ビームを水平又は垂直方向に偏向させるように設けられた偏向ヨークを含むカラー陰極線管において、
前記偏向ヨークは前記電子銃から発射された電子ビームを水平又は垂直に偏向させる水平及び垂直偏向コイルと、前記水平偏向コイルと垂直偏向コイルの間を絶縁すると同時に、適用される陰極線管と結合することができるようにするホールダーと、前記水平及び垂直偏向コイルから発生された磁気力の損失を減らせた上で磁気効率を高めるためのフェライトコアを含み、
前記水平又は垂直偏向コイルのスクリーン側断面形状は四角形状でありながら、前記フェライトコアのスクリーン側端部の断面形状は円形又は楕円形であり、
前記垂直偏向コイルは垂直軸に対し左右に配列された一対として構成され、
前記垂直軸に対し±（６０°〜９０°）である領域でフェライトコアの半径（Ｌ１）に対するフェライトコアの外郭で垂直偏向コイルのスクリーン側フランジ部の最外郭部の長さ（Ｌ２）の比（Ｌ２／Ｌ１）が０．０５〜０．１３の範囲内で変化することを特徴とするカラー陰極線管。
【請求項８】
前記水平及び垂直偏向コイルのスクリーン側断面形状は四角形状であることを特徴とする請求項１〜７のいずれか１項に記載のカラー陰極線管。
【請求項９】
前記ホールダーのスクリーン側断面形状は四角形状であることを特徴とする請求項１〜７のいずれか１項に記載のカラー陰極線管。
【発明の詳細な説明】
【０００１】
【発明の属する技術分野】
本発明は陰極線管の偏向感度を向上させるために適用する技術である四角断面偏向ヨーク（ＲＴＣ偏向ヨーク）に関するものであり、特に偏向コイルは四角形状にて構成し、フェライトコアは円形にて構成した上、偏向コイルとフェライトコアの間隔の最大部分と最小部分の差をフェライトコアのスクリーン側端部で最も大きく構成した陰極線管用偏向ヨークの構造に関するものである。
【０００２】
【従来の技術】
カラー陰極線管の構造は図１に示したように、陰極線管の前面に装着されるパネル１、前記パネルの内面に赤（Ｒ）、緑（Ｇ）、青（Ｂ）の蛍光体が塗布された蛍光体スクリーン３と、前記蛍光体スクリーン３に入射される電子ビームの色選別機能を持つシャドーマスク２と、前記パネル１の後面に結合され内部を真空状態に維持するように設けられたファンネル（ｆｕｎｎｅｌ）６と、前記ファンネル６後方の管形状のネックの内部に装着され電子ビームを発射する電子銃５と、前記ファンネル６の外側を取り巻き、電子ビームを水平又は垂直方向に偏向させるように設けられた偏向ヨーク４にて構成されている。
【０００３】
一般的なカラー陰極線管は通常インライン（ＩＮ−ＬＩＮＥ）形電子銃を用いており、前記インライン形電子銃を用いる陰極線管では赤（Ｒ）、緑（Ｇ）、青（Ｂ）の電子ビームが水平に並んで配列されているため、三つの電子ビームを蛍光体スクリーン３の一点に収斂させるために陰極線管の偏向ヨークは、非均一磁界を用いた磁気集中形（ｓｅｌｆ−ｃｏｎｖｅｒｇｉｎｇ）を適用している。
【０００４】
特に、偏向ヨーク４は、図２のように陰極線管内部にある前記電子銃５から発射された電子ビームを水平方向に偏向させるための一対の水平偏向コイル４１と、前記電子ビームを垂直方向に偏向させるための一対の垂直偏向コイル４２と、前記水平、垂直偏向コイル４１，４２に流れる電流により発生された磁気力の損失を減らせてから偏向効率を向上させるために用いられるフェライトコア４４と、水平偏向コイル４１と垂直偏向コイル４２そしてフェライトコア４４等の機械的な相対位置を決定する上に機械的に固定、結合されるようにし、水平偏向コイル４１と垂直偏向コイル４２の間を絶縁すると同時に、適用する陰極線管と結合することができるようにするホールダー（Ｈｏｌｄｅｒ）４３と、ホールダー４３のネック側に設けられ、垂直バレル形磁界により発生するコマ収差を改善するコマフリーコイル（ＣＯＭＡ　Ｆｒｅｅ　ｃｏｉｌ）４５と、ホールダー４３のネック側の端に設けられ、陰極線管と偏向ヨーク４を機械的に結合させるリングバンド（Ｒｉｎｇ　Ｂａｎｄ）４６と、偏向ヨーク４の開口側の端に主に設けられ画面上のラスター歪曲（以下、ディストーション「ｄｉｓｔｏｒｔｉｏｎ」という。）を補正するために使用するマグネット４７等で構成されている。
【０００５】
又、偏向ヨーク４で、図３のように、水平偏向コイルは、上側偏向コイルと下側偏向コイルを並列に連結した後、図４のような水平偏向電流を印加することで水平偏向磁界を形成し、これにより電子銃５から発射された電子ビームを水平方向に偏向させる役を担当している。
【０００６】
このように構成された偏向ヨーク４は、水平、垂直偏向コイル４１、４２とフェライトコア４４のスクリーン側端部の断面形状により表１のように区分することができる。
【０００７】
【表１】
2004014501.tif 000003
【０００８】
即ち、図５及び図６に示したように、水平及び垂直偏向コイル４１、４２が円形であれば、フェライトコア４４のスクリーン側端部の断面形状は円形として構成され、図７のように、水平及び垂直偏向コイル４１、４２が四角形状であれば、フェライトコア４４のスクリーン側端部の断面形状は四角形状として構成されている。
【０００９】
特に、ＲＡＣ形陰極線管用偏向ヨーク４は、水平及び垂直偏向コイル４１、４２とフェライトコア４４のスクリーン側端部の断面が四角形状として構成されているため、電子ビームとの距離が円形偏向ヨーク４に比べて近いために偏向感度の改善効果を得ることができる。
【００１０】
従来偏向ヨーク４は、水平偏向コイル４１に一般的に１５．７５ＫＨｚ　又はその以上の周波数を持つ電流を流した上に、これにより発生する磁界を利用して陰極線管内部の電子ビームを水平方向に偏向させるし、又垂直偏向コイル４２には普通６００Ｈｚの周波数を持つ電流を流してからこれにより発生する磁界を利用して垂直方向に電子ビームを偏向させる。
【００１１】
そして、水平及び垂直偏向コイル４１、４２による非均一磁界を利用して三つの電子ビームが別途の付加回路及び付加装置を利用しない状態でも画面でコンバージョンスを成すことができるようにするセルフコンバージョンス形態の偏向ヨーク４が主に開発されている。
【００１２】
即ち、水平偏向コイル４１及び垂直偏向コイル４２の捲線分布を調整してから、各部位別（開口部、中間部、ネック部）にバレル又はピンクッション形磁界として形成した上に、三つの電子ビームが位置により各々異なる偏向力を経験するようにし、電子ビームの出発地点から到着地点までの各々異なる距離から同一の地点に集まることができるようにする。
【００１３】
又、偏向コイルに電流を流してから磁界を造る場合、コイルによる磁界だけでは電子ビームを画面の前面に偏向させることが難しく、高透磁率のフェライトコア４４を利用して磁界の帰還経路上での損失を最小化することで、磁界の効率を高め又磁気力を増大させている。
【００１４】
前記一対の水平偏向コイルは図８のように四角形に形成されている上側水平偏向コイルと下側水平偏向コイルにて構成され、前記上側及び下側水平偏向コイルを図３のように並列に連結した後、図４のような鋸目波形状の水平偏向電流を流した上でピンクッション形状の水平偏向磁界を形成する。
【００１５】
前記の偏向ヨークは大きく二つの種類に分けることができる。
図５、図６で示したように、水平及び垂直偏向コイル４１、４２が円形であり、フェライトコア４４のスクリーン側断面形状が円形である円形偏向ヨーク４は、偏向コイルのネック側開口部とスクリーン側開口部の内面面積比が最小１０倍以上に差が生じるため、偏向コイルの偏向中心がネック側に傾くことになる。
【００１６】
しかし、陰極線管に装着される偏向ヨークの位置は、電子銃５から発射された電子ビームがファンネル６の内面に当たる現象であるＢＳＮ（Ｂｅａｍ　Ｓｔｒｉｋｅ　Ｎｅｃｋ）に対する余裕度を確保するためにスクリーン側に傾いて設計されなくてはならず、これにより偏向感度が悪化される。
【００１７】
次に、図７、図８に示したように、水平及び垂直偏向コイル４１、４２が四角形状でありフェライトコア４４の形状が四角形状として構成されたＲＡＣ形偏向ヨーク４は、電子銃５から発射された三つの電子ビーム、即ち、赤、緑、青の三つのビームが前記水平偏向磁界の領域を通過すると、フレミングの左手の法則により前記電子ビームは水平偏向コイル４の内面と電子ビーム間の距離の三乗に反比例して水平方向に偏向される。
【００１８】
従って、水平偏向コイル４１及び垂直偏向コイル４２の形状が四角形状として構成された場合、電子ビームと偏向コイル間の距離が従来の円形形状の偏向ヨーク４に比べ２０％ぐらい短くなるため、水平及び垂直偏向感度が約２０〜３０％ぐらい改善された偏向ヨークの特性を得ることができる。
【００１９】
このような従来の陰極線管用偏向ヨーク４は下記のような問題点がある。
第１、円形偏向ヨークの場合、偏向コイルが円形であるために図１１のように電子ビームと偏向コイル間の不必要な距離ΔＶ、ΔＨが生じるため、偏向感度の特性が不利であり、特に、広角偏向ヨークの場合、偏向感度がもっと不利であるために高解像度の高周波数用偏向ヨークを具現することができない問題点がある。
【００２０】
第２、ＲＡＣ形偏向ヨークで使用するフェライト材質のコア４４は、収縮率が２０％に達しているため、製造工程上の限界により加工公差が±２％の水準に至っている。又、偏向ヨークの感度を向上させるために内面の形状を四角形にした従来のフェライトコア４４は、内面の形状が四角形であるために左右側と上下側の内面の直径が異なるようになる。結果的に、製造工程上の加工公差が既存の円形に比べて最高３倍以上大きく出て、フェライトコアの生産収率が従来の円形コアに比べて５０％の水準であり、四角フェライトコアの内面形状が円形ではない四角形状であるために製造工程上で研磨加工をすることが非常に難しいため、精密な寸法の管理をすることが難しい実情であり、これによる生産収率が既存の円形内面コアに比べて５０％の水準に至っており、これによる単価上昇は既存の円形コアに比べて２００％の水準に至る欠点を持つことになる。
【００２１】
【発明が解決しようとする課題】
本発明は偏向感度を向上させながら、内面寸法の公差を減らせることができるだけでなく、内面の研磨加工を容易にすることができて、生産収率の上昇及びフェライトコアの寸法公差を画期的に改善することができる陰極線管用偏向ヨークを提供するに目的がある。
【００２２】
【課題を解決するための手段】
本発明は内面に赤（Ｒ）、緑（Ｇ）、青（Ｂ）の蛍光体が塗布された蛍光体スクリーンを持つパネルと、前記パネルの後面に結合された上で内部を真空状態に維持するように設けられたファンネルと、前記ファンネルの後方にある管形状のネック部の内部に装着されてから電子ビームを発射する電子銃と、前記電子ビームを水平又は垂直方向に偏向させるように設けられた偏向ヨークを含むカラー陰極線管において、前記偏向ヨークは前記電子銃から発射された電子ビームを水平又は垂直に偏向させる水平及び垂直偏向コイルと、前記水平及び垂直偏向コイルから発生された磁気力の損失を減らせた上で磁気効率を高めるためのフェライトコアを含み、前記水平又は垂直偏向コイルのスクリーン側断面形状は四角形状であり、前記フェライトコアのスクリーン側端部の断面形状は円形又は楕円形であり、前記フェライトコアの内部に装着される水平偏向コイルのスクリーン側フランジ部の外面の大きさ（ＨＳ）が前記フェライトコアのスクリーン側端部の内面の大きさ（ＦＳ）の８０〜１１０％であることを特徴とする。
【００２３】
前記の目的を達成するための本発明の技術的手段は、内面に赤（Ｒ）、緑（Ｇ）、青（Ｂ）の蛍光体が塗布された蛍光体スクリーンを持つパネルと、前記パネルの後面に結合された上で内部を真空状態に維持するように設けられたファンネルと、前記ファンネルの後方にある管形状のネック部の内部に装着されてから電子ビームを発射する電子銃と、前記電子ビームを水平又は垂直方向に偏向させるように設けられた偏向ヨークを含むカラー陰極線管において、前記偏向ヨークは前記電子銃から発射された電子ビームを水平又は垂直に偏向させる水平及び垂直偏向コイルと、前記水平偏向コイルと垂直偏向コイルの間を絶縁すると同時に、適用する陰極線管と結合することができるようにするホールダーと、前記水平及び垂直偏向コイルから発生された磁気力の損失を減らせた上で磁気効率を高めるためのフェライトコアを含み、前記水平又は垂直偏向コイルのスクリーン側断面形状は四角形状であり、前記フェライトコアのスクリーン側端部の断面形状は円形又は楕円形であり、前記フェライトコアの内部に装着される水平偏向コイルのスクリーン側フランジ部の外面の大きさ（ＨＳ）が前記フェライトコアのスクリーン側端部の内面の大きさ（ＦＳ）の８０〜１１０％であることを特徴とする。
【００２４】
又、本発明は内面に赤（Ｒ）、緑（Ｇ）、青（Ｂ）の蛍光体が塗布された蛍光体スクリーンを持つパネルと、前記パネルの後面に結合されてから内部を真空状態に維持するように設けられたファンネルと、前記ファンネルの後方にある管形状のネックの内部に装着された上で電子ビームを発射する電子銃と、前記電子ビームを水平又は垂直方向に偏向させるように設けられた偏向ヨークを含むカラー陰極線管において、前記偏向ヨークは前記電子銃から発射された電子ビームを水平又は垂直に偏向させる水平及び垂直偏向コイルと、前記水平偏向コイルと垂直偏向コイルの間を絶縁すると同時に適用する陰極線管と結合することができるようにするホールダーと、前記水平及び垂直偏向コイルから発生された磁気力の損失を減らせた上で磁気効率を高めるためのフェライトコアと、前記水平偏向コイル、垂直偏向コイル及びフェライトコアを定められた位置に固定させながら水平偏向コイルと垂直偏向コイルの間の絶縁のためのホールダーを含み、前記水平及び／又は垂直偏向コイルのスクリーン側断面形状は大略四角であり、前記フェライトコアのスクリーン側端部の断面形状は円形又は楕円形で構成されたことを特徴とする。
【００２５】
又、前記ホールダーのスクリーン側端部の断面形状は四角形状として構成することが望ましい。
又、前記水平及び／又は垂直偏向コイルのネック側断面形状を円形又は楕円形として構成することが望ましい。
前記フェライトコアのスクリーン側とネック側端部の断面形状を皆円形又は楕円形として構成することが望ましい。
【００２６】
又、前記偏向ヨークは管軸に垂直である平面を基準として、前記フェライトコアとそれに相応する偏向コイルが作る間隔が最小である部分と最大部分が少なくとも存在する。
望ましくは、前記最大間隔と最小間隔の差はスクリーン側端部で最も大きいのが良い。
【００２７】
前記最大間隔と最小間隔の差はネック側端部からスクリーン側端部までたんだん大きくなるのが良い。
前記最小間隔は０〜１．０ｍｍの範囲であり、最大間隔は１〜３０ｍｍの範囲に設定するのが望ましい。
【００２８】
【発明の実施の形態】
以下、本発明の構成を添付された図面を参照しながら詳細に説明すれば次のようである。
図９及び図１０に示すように、本発明による偏向ヨーク４（以下、ＲＴＣ形偏向ヨーク（ＲＴＣ：Ｒｏｕｎｄ　Ｃｏｒｅ　Ｔｅｔｒａ　Ｃｏｉｌ　Ｃｏｍｂｉｎｅｄ　Ｄｅｆｌｅｃｔｉｏｎ　Ｙｏｋｅ）と称す）は、水平及び垂直偏向コイル４１、４２のスクリーン側形状が四角形状であり、フェライトコア４４はスクリーン側で図９、１０、１４、及び１５に示したように、その内面が前記対向偏向コイルと成す間隔部が最大部分と最小部分を持つように構成されている。
【００２９】
前記最大間隔部分と最小間隔部分の差は、フェライトコア４４のスクリーン側端部で最も大きく構成することで、四角形状フェライトコア４４の内面の寸法偏差によるコンバージョンス及びディストーションエラーを改善すると同時に、フェライトコア４４の材料費を節減し、偏向感度を改善することができるように構成される。
【００３０】
図９、１０、１２〜１５に示したように、本発明のＲＴＣ形偏向ヨークは、フェライトコア４４の内面の寸法偏差及び偏向感度を改善するために、水平及び垂直偏向コイル４１、４２のスクリーン側を四角形状として形成し、フェライトコア４４のスクリーン側断面形状を従来のように寸法の偏差が大きい四角形状として構成せずに、その内面が対向垂直偏向コイル４２と成す間隔部が管軸に垂直である平面で最大部分と最小部分を持つように構成されている。
【００３１】
最大部分と最小部分の差は、フェライトコア４４のスクリーン側端部で最も大きく構成されている。
即ち、図９のように、管軸に垂直である平面を基準として、偏向コイルのスクリーン側端部で前記最小間隔は０〜１ｍｍの範囲にてほぼ一定の比率を持つことになるが、垂直偏向コイル４２とフェライトコア４４の内面との最大間隔は１ｍｍ〜３０ｍｍの範囲に拡大されるように前記フェライトコア４４が構成される。
【００３２】
又、図１３のようにフェライトコア４４のネック側を基準とした時、陰極線管の管軸方向の最大間隔部の増加比率は、最小０％から最大６０００％までフェライトコア４４のネック側でスクリーン側端部までだんだん増加するようにフェライトコア４４が形成される。
【００３３】
このように構成されたＲＴＣ形偏向ヨークは、従来の円形偏向ヨーク及びＲＡＣ形偏向ヨークに比べて次のような差異点がある。
円形偏向ヨークとＲＡＣ形偏向ヨークを比較して見れば、偏向ヨークの偏向感度特性は主に偏向コイルと電子ビーム間の距離の３乗に反比例し、円形偏向コイルに比べて四角偏向コイルは、偏向コイルと電子ビーム間の距離が２０％ぐらい短いため、偏向感度の側面で２０〜３０％の向上を得ることができる。
【００３４】
しかし、従来のＲＡＣ形偏向ヨークは、偏向コイルとフェライトコアのスクリーン断面が皆四角形状として成されているため、フェライトコアの内面寸法偏差により画面上のコンバージョンスエラー及びディストーションエラー、原価上昇等のいろんな欠点を持っており、偏向ヨークを生産するのに困難がある。
【００３５】
本発明のＲＴＣ形偏向ヨークと従来の円形偏向ヨークを比較して見れば、水平偏向コイルの偏向中心が大きく異なる。
即ち、ネック側開口部の内面面積は前記二つの種類の偏向ヨークが類似であるが、非円形化が始まるネック側開口部と中間側開口部の間の地点からスクリーン側開口部に至る領域は、円形偏向ヨークの場合、開口部の内面面積がネック側開口部の面積対比最小１０倍以上になるが、ＲＴＣ形偏向ヨークは開口部の内面面積がネック側開口部の面積対比最小４倍以上になるため、水平偏向コイルの偏向中心はＲＴＣ形偏向コイルが円形偏向コイルに比べてスクリーン側に移動する効果がある。
【００３６】
このように偏向中心がスクリーン側に移動すれば、電子銃５から発射された電子ビームが前記ファンネルの内面に当たる現象であるＢＳＮ（Ｂｅａｍ　Ｓｔｒｉｋｅ　Ｎｅｃｋ）特性に対する余裕度が従来に比べて数ｍｍ程度に伸びるため、水平偏向コイルをネック側に１〜１０ｍｍぐらい移動させることができる。
【００３７】
このような現象は垂直偏向コイルでも同一に現れる。
従って、水平及び垂直偏向コイルをネック側に移動させることになれば、フェライトコアも同様にネック側に移動しなければならず、このように構成された本発明のＲＴＣ形偏向ヨークは従来の円形偏向ヨークに比べて次のような差異点があるようになる。
【００３８】
先ず、水平及び垂直偏向コイルがネック側に移動することになれば、単位面積当磁束密度が高いため、電子ビームを偏向させる偏向力が向上されることになり、偏向感度の向上効果がある。
これは偏向コイルの形状が円形から四角形状に変化されながら得ることができる偏向感度の向上効果以外の追加的な偏向感度向上効果である。
【００３９】
又、本発明のフェライトコアは従来の円形偏向ヨークに比べてネック側に１〜１０ｍｍ程度移動されるため、フェライトコアの断面形状が小さくなるようになり、ネック側対比スクリーン側の面積の差も小さくなるようになり、材料費の節減効果が期待される。
【００４０】
本発明のＲＴＣ形偏向ヨークと従来のＲＡＣ形偏向ヨークを比べて見ると、水平及び垂直偏向コイルは皆四角形状として同一であるが、フェライトコアのスクリーン側端部の断面形状が、本発明のＲＴＣ形は円形であり、従来のＲＡＣ形は四角形状として成されている。
【００４１】
図１１は陰極線管の偏向ヨークが装着されるファンネルのヨーク部断面を示すものであり、ΔＶは垂直方向のギャップ、ΔＨは水平方向のギャップ、Ｒは半径である。ヨーク部は垂直偏向コイルの円形ネック側断面形状及び四角のスクリーン側断面形状に適した形状として製作されている。
【００４２】
上述したＲＴＣ形とＲＡＣ形の間の偏向感度側面を見れば、ＲＴＣ形がＲＡＣ形と類似な偏向感度を得ることができるが、その原理は説明してみれば次のようである。
先ず、水平偏向感度Ｐｈは次のように定義される。
Ｐｈ＝Ｌｈ×Ｉｈ２ｐｅａｋ−ｐｅａｋ
ここで、Ｐｈは水平偏向コイルの偏向感度であり、Ｌｈは水平偏向コイルのインダクタンスであり、Ｉｈｐｅａｋ−ｐｅａｋは図４のように水平偏向コイルに流れる偏向電流のピーク値−ピーク値を意味する。しかし、フェライトコアを四角形状から円形に変更すれば、水平偏向電流Ｉｈの値が上昇する問題があるが、水平偏向コイルのインダクタンス値Ｌｈは却って減少する効果があるため、水平偏向感度はほぼ類似な水準として維持される。
【００４３】
このように構成された本発明のＲＴＣ形偏向ヨークは、従来のＲＡＣ形偏向ヨークの四角フェライトコア４４の内面寸法偏差によるコンバージョンス及びディストーションエラーの改善、及びフェライトコアの材料費を節減することができる。
【００４４】
又、本発明のフェライトコアは図９のように、既存の四角フェライトコアとは異なって円形形状として成されているため、即ち、左右側と上下側内面の直径が同一であるため、フェライトコアの製作過程で内面研磨工程を通じて内面偏差を０．０２ｍｍ以下の高い精密度を持たせることができて、高精細フェライト特性を得ることができるだけではなく生産収率の側面でも従来の四角形フェライトコアに比べて約３倍ぐらいの収率向上を得ることができる。
【００４５】
図１６及び１７は各々従来の円形及びＲＡＣ偏向ヨークの水平偏向コイルのスクリーン側フランジ部とフェライトコアのスクリーン側端部の配置を示した図である。
この時、水平偏向コイルが円形であればフェライトコア４４も円形であり、水平偏向コイルが四角形であればフェライトコア４４も四角形であるため、水平偏向コイルのスクリーン側フランジ部４１−３がフェライトコア４４のスクリーン側端部を抜け出るように構成されているに従って、水平、垂直偏向コイルに流れる電流により発生された磁気力の損失を減らせた上で偏向効率を向上させるフェライトコア４４が影響を及ぶことができなく、漏洩磁界が増加する問題が発生する。
【００４６】
図１５に示したように、本発明のＲＴＣ形偏向ヨークは、前記最大部分と最小部分の差はフェライトコア４４のスクリーン側端部で最も大きいように構成されている。
図１８に示したように、フェライトコア４４のスクリーン側端部で、水平偏向コイル４１と管軸に垂直である平面で最大部分を持ち、この時、水平偏向コイルのスクリーン側フランジ部４１−３はフェライトコア４４の内側に形成される。
【００４７】
図１９は本発明によるＲＴＣ形偏向ヨークの断面図であり、水平偏向コイルのスクリーン側フランジ部の外面直径ＨＳは、フェライトコアのスクリーン側端部の内面直径ＦＳの８０〜１１０％程度にしてから漏洩磁界及び偏向電力を減少させた。
【００４８】
言い換えれば、図１６及び１７に示したように、従来の水平偏向コイルのスクリーン側フランジ部がフェライトコアの外部に抜け出ることとは異なって、本発明の水平偏向コイルのスクリーン側フランジ部の外面直径ＨＳはフェライトコアのスクリーン側端部の外面又は内面直径ＦＳより小さいため、フェライトコアの内部又は外面の端部内に位置するようにしたことで、漏洩磁界及び偏向電力を効果的に減少させることができる。
【００４９】
図２０は漏洩磁界、偏向電力対比ＨＳ／ＦＳ比の関係を示した図面であり、水平偏向コイルのスクリーン側フランジ部の外面直径ＨＳとフェライトコアのスクリーン側端部の内面直径ＦＳの比ＨＳ／ＦＳが大きければ大きいほど漏洩磁界及び偏向電力が増加することを知り得る。
【００５０】
下記表２は従来の円形及びＲＡＣ形偏向ヨークと本発明のＲＴＣ形偏向ヨークに対する水平偏向コイルのスクリーン側フランジ部の外面直径ＨＳとフェライトコアのスクリーン側端部の内面直径ＦＳの比を比較してから、％単位に示したものである。
【００５１】
【表２】
2004014501.tif 000004
【００５２】
前記表２に示したように、本発明によるＲＴＣ形偏向ヨークの水平偏向コイル４１のスクリーン側フランジ部の外面直径ＨＳとフェライトコア４４のスクリーン側端部の内面直径ＦＳの比ＨＳ／ＦＳは１００％以下である反面、従来の偏向ヨークの水平偏向コイルはＨＳ／ＦＳが１２０％以上であり、相当の差を示す。結果的に、本発明による水平偏向コイル４１のＨＳ／ＦＳ比が小さいため、図２０に示したグラフにより、従来よりもっと漏洩磁界及び偏向電力を減少させることが可能である。
【００５３】
即ち、前記フェライトコア４４の内部に装着される水平偏向コイル４１のスクリーン側フランジ部の外面の大きさＨＳが前記フェライトコア４４のスクリーン側端部の内面の大きさＦＳの８０〜１１０％であることが望ましい。
【００５４】
又、前記フェライトコア４４の内部に装着される水平偏向コイル４１のスクリーン側フランジ部の外面の大きさＨＳがフェライトコア４４のスクリーン側端部の内面の大きさの８０〜１００％であることがより望ましい。
【００５５】
又、水平偏向コイル４１のスクリーン側フランジ部４１−３は、電子ビームを偏向させる役は微々である反面、水平偏向コイル４１のインダクタンス値を度を越すほど上昇させることで水平偏向感度を悪化させる役を演ずるため、水平偏向コイルのスクリーン側フランジ部４１−３の形状をできるだけ小さくすることで無効磁界を減らせ、水平偏向感度を向上させることができる。
【００５６】
そして、図２に示したように、垂直偏向コイル４２はネック側フランジ部４２−１、中間部４２−２、及びスクリーン側フランジ部４２−３にて構成される。陰極線管の管軸と平行に形成された中間部４２−２は電子ビームを垂直に偏向させる実質的な役を演じ、ネック側フランジ部４２−１は電子ビームを偏向させる役はあまりなく、偏向コイルのインダクタンス値だけを上昇させる役を演じ、スクリーン側フランジ部４２−３はネック側フランジ部４２−１と同一の役を演じる。
【００５７】
図２２は従来の円形偏向ヨークの垂直偏向コイルのスクリーン側フランジ部とフェライトコアのスクリーン側端部の配置を示した図である。
この時、垂直偏向コイル４２は円形であり、フェライトコア４４も円形である。従って、垂直偏向コイルのスクリーン側フランジ部４２−３が円形フェライトコア４４のスクリーン側端部全体を取り囲むように形成され、垂直偏向コイルのスクリーン側フランジ部４２−３の大部分がフェライトコア４４から外れて分布されているため、垂直インダクタンスを上昇させる量が比較的に大きく、垂直偏向感度を悪化させる問題が発生する。
【００５８】
図２２に示したように、本発明の垂直偏向コイル４２は垂直軸に対して左右に配列された一対として成される。
フェライトコア４４のスクリーン側端部の外面に接する垂直偏向コイルのスクリーン側フランジ部４２−３の垂直軸に隣接した地点を水平軸から連結した長さｃは、前記フェライトコア４４のスクリーン側端部の直径ｂより小さく形成されている。
【００５９】
又、図２３に示したように、垂直軸に対して±（３０°〜６０°）の領域にある垂直偏向コイルのスクリーン側フランジ４２−３の最外郭部で水平軸から垂直軸方向に垂直偏向コイルのスクリーン側フランジ部４２−３と連結した直線の長さとフェライトコア４４のスクリーン側端部半径ｂの比ｂ／ｅを０．７〜１．１に形成した。
【００６０】
図２４は垂直軸に対して±（３０°〜６０°）である領域で、水平軸から垂直偏向コイルのスクリーン側フランジ部４２−３の垂直軸方向直線の長さｅによる偏向電力の関係を示す図であり、ｅの値が大きくなれば大きくなるほど偏向電力も増加することを知り得る。
【００６１】
図２５は本発明によるＲＴＣ形偏向ヨークの垂直偏向コイル４２とフェライトコア４４を正面から示した図であり、水平軸でのフェライトコア４４の半径をＬ１，Ｌ３とし、フェライトコア４４の外郭から垂直偏向コイルのスクリーン側フランジ部４２−３の最外郭部までの長さをＬ２，Ｌ４とした時、水平軸上でＬ２／Ｌ１は最も小さい値である０．０５であり、垂直軸基準−６０°の部分でＬ４／Ｌ３は最も大きい値である０．１３を示す。即ち、前記垂直軸を基準に±（６０°〜９０°）、水平軸を基準としては±（０°〜３０°）である領域で、フェライトコア４４の半径Ｌ１，Ｌ３に対するフェライトコアの外郭での垂直偏向コイルのスクリーン側フランジ部４２−３の最外郭部の長さＬ２，Ｌ４の比Ｌ２／Ｌ１又はＬ４／Ｌ３が０．０５〜０．１３の範囲内で変化する形状を持つように構成される。
【００６２】
【発明の効果】
以上説明したように、本発明によるＲＴＣ形偏向ヨークは下のような効果がある。
第１、本発明のＲＴＣ形フェライトコアは内面形状が円形であるため、内面寸法の公差を１／２以上に減らすことができるだけではなく、精密な寸法を要求する偏向ヨークの場合、内面研磨加工を容易にすることができるため、生産収率の上昇及びフェライトコアの寸法散布を画期的に改善することができて、材料費を１／３以上に減らすことができるだけではなく、偏向ヨークのコンバージョウンス及びディストーションエラーを改善することができる高精細用偏向ヨークの特性を具現することができる。
【００６３】
第２、従来の円形偏向ヨークと比べて偏向コイルが四角形状であり、偏向ヨークをネック側に１〜１０ｍｍぐらい移動させることができるため、偏向感度を円形偏向ヨーク対比２０〜３０％向上させることができる効果を得られる。
第３、本発明のＲＴＣ形偏向ヨークの水平及び垂直偏向コイルのスクリーン側フランジ部形状を小さくし、漏洩磁界及び偏向電力を減少させることができる効果がある。
【００６４】
第４、フェライトコアがスクリーン側に行くほど、ＲＡＣコアに比べて水平偏向コイル及び垂直偏向コイルとエア（ａｉｒ）のギャップ層が大きく形成されるため、対流効果上昇による発熱特性の改善効果がある。
【図面の簡単な説明】
【図１】従来の陰極線管と偏向ヨークの概略図。
【図２】従来の偏向ヨークの概略図。
【図３】従来の偏向ヨークに印加する水平偏向回路図。
【図４】従来の偏向ヨークに印加する水平偏向電流図。
【図５】従来の円形偏向ヨークの断面図。
【図６】従来の円形偏向ヨークの斜視図。
【図７】従来のＲＡＣ形偏向ヨークの断面図。
【図８】従来のＲＡＣ形偏向ヨークの斜視図。
【図９】本発明のＲＴＣ形偏向ヨークの断面図。
【図１０】本発明のＲＴＣ形偏向ヨークの斜視図。
【図１１】陰極線管のファンネル部の断面図。
【図１２】本発明の垂直偏向コイルの組立前状態を示す図。
【図１３】本発明の垂直偏向コイルの組立後状態を示す図。
【図１４】本発明の垂直偏向コイルの組立図。
【図１５】本発明の垂直偏向コイルとフェライトコアの組立図。
【図１６】従来の円形偏向ヨークの水平偏向コイルのスクリーン側フランジ部とフェライトコアのスクリーン側端部の配置を示した図。
【図１７】従来のＲＡＣ形偏向ヨークの水平偏向コイルのスクリーン側フランジ部とフェライトコアのスクリーン側端部の配置を示した図。
【図１８】本発明のＲＴＣ形偏向ヨークの水平偏向コイルのスクリーン側フランジ部とフェライトコアのスクリーン側端部の配置を示した図。
【図１９】本発明によるＲＴＣ形偏向ヨークの断面図。
【図２０】漏洩磁界、偏向電力対比ＨＳ／ＦＳ比の関係を示した図。
【図２１】一般的な垂直偏向コイルの構造を示す図。
【図２２】従来の円形偏向ヨークの垂直偏向コイルのスクリーン側フランジ部とフェライトコアのスクリーン側端部の配置を示した図。
【図２３】本発明によるＲＴＣ形偏向ヨークの垂直偏向コイルのスクリーン側フランジ部とフェライトコアのスクリーン側端部の配置を示した図。
【図２４】垂直軸に対して±（３０°〜６０°）である領域で、水平軸から垂直偏向コイルのスクリーン側フランジ部の垂直軸方向直線の長さ（ｅ）による偏向電力の関係を示す図。
【図２５】本発明によるＲＴＣ形偏向ヨークの垂直偏向コイルとフェライトコアを正面から示した図。
【符号の説明】
１…パネル
２…シャドーマスク
３…蛍光体スクリーン
４…偏向ヨーク
５…電子銃
６…ファンネル
４１…水平偏向コイル
４２…垂直偏向コイル
４３…ホールダー
４４…フェライトコア
４５…コマフリーコイル
４６…リングバンド
４７…マグネット
４１−３…水平偏向コイルのスクリーン側フランジ部
４２−１…垂直偏向コイルのネック側フランジ部
４２−２…垂直偏向コイルの中間部
４２−３…垂直偏向コイルのスクリーン側フランジ部
【図１】
2004014501.tif 000005
【図２】
2004014501.tif 000006
【図３】
2004014501.tif 000007
【図４】
2004014501.tif 000008
【図５】
2004014501.tif 000009
【図６】
2004014501.tif 000010
【図７】
2004014501.tif 000011
【図８】
2004014501.tif 000012
【図９】
2004014501.tif 000013
【図１０】
2004014501.tif 000014
【図１１】
2004014501.tif 000015
【図１２】
2004014501.tif 000016
【図１３】
2004014501.tif 000017
【図１４】
2004014501.tif 000018
【図１５】
2004014501.tif 000019
【図１６】
2004014501.tif 000020
【図１７】
2004014501.tif 000021
【図１８】
2004014501.tif 000022
【図１９】
2004014501.tif 000023
【図２０】
2004014501.tif 000024
【図２１】
2004014501.tif 000025
【図２２】
2004014501.tif 000026
【図２３】
2004014501.tif 000027
【図２４】
2004014501.tif 000028
【図２５】
2004014501.tif 000029